(57)【要約】【課題】物干し竿の外径の如何にかかわらず、物干し竿に引っ掛けるだけの極めて簡単な動作により、自重でもって竿を確実に挟持して、物干しが不用意にずれ動くのを抑制することの出来る物干し用フックを提供する。【解決手段】物干し部とこの物干し部を支持する支持部とが備えられた物干し具における前記支持部に設けられるフックの構造であって、フックは、ガイド部材と、このガイド部材に対して所定ストローク上下動可能な可動フック部材と、この可動フック部材の上下動に連動して、可動フック部材の上方移動に伴い、この可動フック部材に対して次第に近接するロック部材から成り、可動フック部材及びロック部材は、常時はその自重により、ガイド部材に対して降下して、可動フック部材の出入り口が開かれるように構成され、ロック部材には、押さえ体が所定角度揺動可能に設けられている。【選択図】図３
2008136719.tif 000002
【特許請求の範囲】
【請求項１】
物干し部とこの物干し部を支持する支持部とが備えられた物干し具における前記支持部に設けられるフックの構造であって、フックは、ガイド部材と、このガイド部材に対して所定ストローク上下動可能な可動フック部材と、この可動フック部材の上下動に連動して、可動フック部材の上方移動に伴い、この可動フック部材に対して次第に近接するロック部材から成り、可動フック部材及びロック部材は、常時はその自重により、ガイド部材に対して降下して、可動フック部材の出入り口が開かれるように構成されていることを特徴とする物干し具のフック構造。
【請求項２】
ロック部材には、押さえ体が所定角度揺動可能に設けられていることを特徴とする請求項１に記載の物干し具のフック構造。
【発明の詳細な説明】
【技術分野】
【０００１】
本発明は、主として物干し竿に引っ掛けて洗濯物を干すための物干し具に設けられるフックの構造に関する。
【背景技術】
【０００２】
一般に物干し具は、上端にフックを設けた支持杆と、洗濯物を引っ掛けるための複数本の物干し部とが備えられ、これら物干し部は、支持杆の下端部に揺動可能に取り付けられて、支持杆に対して折り畳み位置と展開使用位置とに位置変更可能に設けられている。（特許文献１参照）
そして、以上の物干し具により洗濯を干す際には、物干し部を支持杆に対して展開使用位置に展開すると共に、フックを物干し竿に引っ掛け、しかる後、洗濯物を物干し部に順次取り付けて乾かすようにしている。
ところで以上の物干し具の使用に際してフックを物干し竿に引っ掛けるだけでは、強風などにより、物干しが竿に対してずれ動く不具合がある。
そこで以上の不具合を解消するために、従来では、フックを、支持杆の上端部に一体形成された固定フック部と、この固定フック部の出入り口を開閉する状態で固定フック部の基部側に枢着された可動フック部と、可動フック部を閉鎖方向に揺動付勢させるコイルスプリングとから構成する一方、支持杆の下端部に操作レバーを揺動可能に組みつけて、この操作レバーを可動フック部に連動機構を介して連動させ、操作レバーの操作により、連動機構を介して可動フック部を開方向に付勢させて、固定フック部の出入り口を開くようにしている。
（特許文献２参照）
しかしながら以上の構造のフックでは、部品点数も多くなって、それだけ構造も複雑となり、コスト高となるし、また物干し具自体も大型となる不具合がある。
またフックを物干し竿に引っ掛ける際、その都度、操作レバーを手で握って、固定フック部の出入り口を開く必要があり、作業性が悪い。
一方、フックが引っ掛けられる物干し竿は、種類によりその外径が異なるが、何れの大きさの物干し竿にもずれ動くことなく引っ掛けられることが求められている。
【特許文献１】特開平６−３６５９５号
【特許文献２】特開２００３−２４６９７号
【発明の開示】
【発明が解決しようとする課題】
【０００３】
本発明は、以上の実情に鑑みて開発したものであって、目的とするところは、物干し竿の外径の如何にかかわらず、物干し竿に引っ掛けるだけの極めて簡単な動作により、自重でもって竿を確実に挟持して、物干しが不用意にずれ動くのを抑制することの出来る物干し用フックを提供することにある。
【課題を解決するための手段】
【０００４】
以上の目的を達成するために、請求項１に記載の発明は、物干し部とこの物干し部を支持する支持部とが備えられた物干し具における前記支持部に設けられるフックの構造であって、
フックは、ガイド部材と、このガイド部材に対して所定ストローク上下動可能な可動フック部材と、この可動フック部材の上下動に連動して、可動フック部材の上方移動に伴い、この可動フック部材に対して次第に近接するロック部材から成り、可動フック部材及びロック部材は、常時はその自重により、ガイド部材に対して降下して、可動フック部材の出入り口が開かれるように構成されていることを特徴とするものである。
また請求項２に記載の発明は、請求項１に記載のガイドにおいて、ロック部材には、押さえ体が所定角度揺動可能に設けられていることを特徴とするものである。
【発明の効果】
【０００５】
請求項１に記載の発明によれば、物干し具を物干し竿に取り付ける際には、可動フック部材内に竿を引っ掛けるだけで、物干し具自体の重さにより、可動フック部材がガイド部材に対して上方にスライドすると共に、この可動フック部材の上方へのスライドに伴い、ロック部材が揺動して、可動フック部材の出入り口がロック部材で閉じられると共に、ロック部材と可動フック部材とで物干し竿が挟み止められるので、物干し具が物干し竿に対して不用意にズレ動いたりあるいは外れたりするようなことがなく、また物干し竿の外径の如何にかかわらず、物干し竿に引っ掛けるだけの極めて簡単な動作により、自重でもって竿を確実に挟持して、物干しが不用意にずれ動くのを抑制することが出来る。
しかも物干し具を物干し竿から取り外す場合にあっても、物干し具を上方に持ち上げることで、可動フック部材及びロック部材が、その自重によりガイド部材に対して降下して、可動フック部材の出入り口が直ちに開かれるので、例えば支持杆を手で持って物干し具全体を持上げるだけの極めて簡単且つ単純な作業だけで、フックを物干し竿から直ちに離脱させることが出来る。
【０００６】
請求項２に記載の発明によれば、請求項１に記載の発明の効果に加え、物干し竿にフックを引っ掛けるに際して、押さえ体がロック部材に対して揺動して、この押さえ体と可動フック部材とで、外径の異なる物干し竿をより一層確実に挟持することが出来る。
【発明を実施するための最良の形態】
【０００７】
以下、本発明にかかる物干し具のフック構造を説明する。
【０００８】
先ず図において符号１で示す物干し具は、いわゆるパラソル型と称されているものであって、この物干し具１は、基本的には、
洗濯物を引っ掛けるための複数本の物干し杆２と、
この物干し杆が取り付けられる支持杆３と、
この支持杆３の上端部に設けられる本発明のフック４とから構成される。
物干し杆２は、その長さ方向一端部が支持杆３の下端部に取り付けた連結部材３０の周囲に揺動可能に取り付けられて、支持杆３に対して折りたたまれる畳み位置と支持杆３に対してほぼ９０度に展開する使用位置とに位置変更可能となっている。
そして物干し杆２の長さ方向両端部には、この物干し杆２とで洗濯物を挟持するためのクリップ片２１・２２がそれぞれ一体形成されている。
【０００９】
また支持杆３の上部には、クリップ片２１の遊端部が弾性的に係合可能な係合板３１が取り付けられ、物干し杆２が支持杆３に対して折り畳まれた時点で、クリップ片２１の遊端部が、係合板３１の外周縁に弾性的に係合して、物干し杆２が支持杆３に対して折り畳み位置で保持されるようにしている。
フック４は、ガイド部材５と、このガイド部材５に対して所定ストローク上下動可能な可動フック部材６と、この可動フック部材６の上下動に連動して、可動フック部材６の上方移動に伴い、この可動フック部材６に対して次第近接すると共に可動フック部材６の出入り口６０を閉じるロック部材７とから構成されている。
ガイド部材５は、支持杆３の上端から斜め上方に向けて湾曲状に伸びる湾曲部５１と、この湾曲部５１の遊端から上方に延びる第一直線部５２と、この第一直線部５２の上端から円弧状に湾曲する円弧部５３と、この円弧部５３の遊端から下方に延びる第二直線部５４から構成されており、第一直線部５２と第二直線部５４には、それぞれ上下方向に延びるガイド孔５２ａ・５４ａが形成されている。
可動フック部材６は、前述のガイド部材５を構成する第一直線部５２及び円弧部５３に沿う可動側直線部６２及び可動側円弧部６３から構成されている。
これら可動側直線部６２及び可動側円弧部６３は、所定間隔開けて対向する一対の対向片６２ａ・６３ａが備えられ、可動側円弧部６３の対向片６３ａは、その長さ方向中央部下端で連結片６５により連結され、この連結片６５の下面には、クッション材６６が貼り付けられている。
尚、連結片６５も物干し竿８に沿うように湾曲している。
そしてこの可動フック部材６は、ガイド部材５に対して所定ストローク上下動可能に設けられているのであって、具体的には、ガイドピン６２ｂ・６３ｂがガイド孔５２ａ・５４ａにそれぞれ挿通されると共に、これらガイドピン６２ｂ・６３ｂの両端部が可動側直線部６２の下端部の対向片６２ａ及び可動側円弧部６４の遊端部の対向片６３ａにそれぞれ連結されることで、ガイド孔５２ａ・５４ａに沿って可動フック部材６がガイド部材５に対して所定ストローク上下動し、最大限上昇した時には、可動フック部材６の可動側円弧部６３がガイド部材５の円弧部５３にほぼ重なるようにしている。
一方、ロック部材７は、所定定間隔開けて対向する対向する対向片７１と、これら対向片７１の長方向一端を連結する連結片７２が備えられ、対向片７１の長さ方向他端部は、枢軸７３を介してガイド部材５における第1直線部５２に枢支されて、この枢軸７３を支点にして遊端側が上下方向に揺動可能となっている。
またロック部材７の対向片７１には、長孔７１ａが形成され、可動側フック部材６における可動側直線部６２の下端に組みつけたガイドピン６２ｂを前記長孔７１ａに介装することで、ガイドピン６２ｂを介して連結されて、可動フック部材６がガイド部材５に対して上昇するに伴い、可動フック部材６の出入り口６０を閉じながら、ロック部材７の遊端側、換言すれば、後記する押さえ体７５が可動フック部材６を構成する可動側円弧部６４に順次近づくようにし、可動フック部材６がガイド部材５に対して下降するに伴い、可動フック部材６の出入り口６０を開きながら、押さえ体７５が可動フック部材６を構成する可動側円弧部６４から順次遠ざかるようにしている。
またロック部材７を構成する対向片７１間には、押さえ体７５が支持軸７６を介して所定角度揺動可能に支持されている。
この押さえ体７５の上面は、物干し竿８に沿うように湾曲状に窪んでおり、その上面には、クッション材７７が貼り付けられている。
また可動フック部材６及びこの可動フック部材６に連動するロック部材７は、常時はその自重により、ガイド部材５に対して降下し、可動フック部材６の出入り口６０が開かれている。
【００１０】
図中、３２は、支持杆３の下端に取り付けた吊り掛け用リングである。
【００１１】
以上の構造からなるフック４を備えた物干し具１により洗濯物を干すには、先ず図２に示すように折り畳んでいる物干し杆２を支持杆３に対して使用位置に展開すると共に、フック４を物干し竿８に引っ掛けて、物干し具１を物干し竿８に吊り掛けた上で、順次洗濯物を物干し杆２に引っ掛ければよいのである。
ところで、フック４を物干し竿８に引っ掛けるに際して、物干し竿８に引っ掛ける前は、可動フック部材６及びロック部材７は、常時はその自重により、図３にも示すように、ガイド部材５に対して降下し、可動フック部材６の出入り口６０が開いている。
従って、支持杆３の下端部を手で持つだけで、可動フック部材６の出入口６０から可動フック部材６における可動側円弧部６４内に物干し竿８を直ちに挿入することが出来、かかる状態から支持杆３を持った手を離すと、物干し具1及び物干し杆２に吊り掛けた洗濯物の重さにより、可動フック部材６がガイド部材５に対して上方にスライドすると共に、この可動フック部材６の上方へのスライドに伴い、押さえ体７５が物干し竿８の下面側に圧接するまでロック部材７が枢軸７３を支点にして揺動して、可動フック部材６の出入り口がロック部材７で閉じられると共に、押さえ体７５と可動フック部材の可動側円弧部６４とで、物干し竿８を挟み止めるのであって、この結果、物干し具１が物干し竿８に対して不用意にズレ動いたりあるいは外れたりするようなことがないのである。
また図６に示す物干し竿８よりも外径の大きな物干し竿８０であっても、図７に示すように、前記と同様の動作により、押さえ体７５と可動フック部材の可動側円弧部６４とで、物干し竿８０を挟み止めることが出来て、物干し具１が物干し竿８０に対して不用意にズレ動いたりあるいは外れたりするようなことがないのである。
一方、物干し竿８に引っ掛けた物干し具１を物干し竿８から取り外す場合には、支持杆３の下端部を手で持って、物干し具１全体を上方に持ち上げれば、可動フック部材６及びロック部材７が、その自重によりガイド部材５に対して降下して、可動フック部材６の出入り口６０が直ちに開かれる。
従って、支持杆３を手で持って物干し具１全体を持上げるだけの極めて簡単且つ単純な作業だけで、フック４を物干し竿８から直ちに取り外すことが出来る。
以上のごとく、物干し具１の物干し竿８・８０からの取り外しや、物干し具１の物干し竿８・８０への引っ掛けがワンタッチで行なえ、物干し竿８・８０に取り付けていた物干し具１の取り入れ作業等が極めて簡単且つスムーズに行なえる。
以上の実施形態では、パラソル式の物干し具１のフック４に本発明を適用したが、これに限定されるものではなく、パラソル式以外の物干し具にも適用することが出来る。
【図面の簡単な説明】
【００１２】
【図１】本発明にかかるフック構造を採用した物干し具の斜視図。
【図２】物干し杆を展開した状態を示す物干し具の斜視図。
【図３】物干し具の要部の斜視図。
【図４】物干し具の要部の左側面図。
【図５】物干し具の要部の右側面図。
【図６】フックの作動説明図。
【図７】フックの作動説明図。
【図８】フックの分解斜視図。
【符号の説明】
【００１３】
１        物干し具
２        物干し杆
３        支持杆
４        フック
５        ガイド部材
６        可動フック部材
７        ロック部材
７５      押さえ体
８・８０  物干し竿
【図１】
2008136719.tif 000003
【図２】
2008136719.tif 000004
【図３】
2008136719.tif 000005
【図４】
2008136719.tif 000006
【図５】
2008136719.tif 000007
【図６】
2008136719.tif 000008
【図７】
2008136719.tif 000009
【図８】
2008136719.tif 000010